(57)【要約】【課題】ＡＰＳフィルムの隣り合う画像（コマ）間距離のばらつきに拘わらず、画像が画像出力用画面に対して所定の画面位置に精度よく位置合わせされた状態で画画位置を確定できる写真処理装置を提供する。【解決手段】写真処理装置Ａは、画像Ｍが記録されたＡＰＳフィルムＦを所定のフィルム搬送方向Ｙに搬送するフィルム搬送部６４０、搬送部６４０にて搬送されたフィルムＦに光を照射する光源部６１０、光源部６１０からフィルムＦを通過してくる画像光Ｌを受光して画像情報を読み取る撮像部６２０、撮像部６２０にて読み取られた画像情報に基づいて、フィルムＦの搬送方向Ｙにおける画像Ｍのエッジ部Ｍ１を検出するエッジ部検出手段９５、及び手段９５にて検出された画像エッジ部Ｍ１の検出位置に基づいて、当該画像Ｍの画像出力用画面に対する画面位置を確定する画面位置確定手段９６を備える。【選択図】    図５
2005039449.tif 000002
【特許請求の範囲】
【請求項１】
画像が記録されたＡＰＳフィルムを所定のフィルム搬送方向に搬送するフィルム搬送部と、
前記フィルム搬送部にて搬送された前記ＡＰＳフィルムに光を照射する光源部と、
前記光源部から前記ＡＰＳフィルムを通過してくる画像光を受光して画像情報を読み取る撮像部と、
前記撮像部にて読み取られた画像情報に基づいて、前記ＡＰＳフィルムの前記フィルム搬送方向における画像の両エッジ部のうち少なくとも一方のエッジ部を検出するエッジ部検出手段と、
前記エッジ部検出手段にて検出された画像エッジ部の検出位置に基づいて、当該画像の画像出力用画面に対する画面位置を確定する画面位置確定手段と
を備えることを特徴とする写真処理装置。
【発明の詳細な説明】
【０００１】
【発明の属する技術分野】
本発明は、写真処理装置、特に、ＡＰＳ（Ａｄｖａｎｃｅｄ  Ｐｈｏｔｏ  Ｓｙｓｔｅｍ）フィルムに記録された画像を読み取り、当該画像の画像出力用画面に対する画面位置を確定する写真処理装置に関する。
【０００２】
【従来の技術】
従来の写真処理装置では、ＡＰＳフィルムに記録された画像を読み取るにあたって、一般的に、ＡＰＳフィルムを所定のフィルム搬送方向に搬送し、当該搬送されるＡＰＳフィルムのフィルム搬送方向とは直交する方向の一端部においてフィルム搬送方向に沿って所定のピッチで形成されたパーフォレーションを検出し、当該検出されたパーフォレーションの検出位置を基準に、当該画像を画像出力用画面に対して所定の画面位置に位置合わせし、当該位置合わせされた画面位置を確定する。
【０００３】
一方、ＡＰＳカメラでは、ＡＰＳフィルムに撮影される画像は、通常、対応するパーフォレーションに対する位置ずれが所定の規格範囲内に入るように記録されるのであるが、使用するＡＰＳカメラの機能や操作方法によっては、フィルムの巻き取り不足や巻き取り過ぎ等により、良好にフィルムが巻き取られていない状態で次の撮影がなされることがあり、このように撮影され、画像が記録されたＡＰＳフィルムでは、記録される画像のパーフォレーションに対する位置ずれが規格範囲から外れ、隣り合う画像（コマ）間距離がばらついてしまうことがある。特にレンズ付きＡＰＳフィルム（いわゆる使い捨てＡＰＳカメラ）では、フィルムを手巻きするため、隣り合う画像（コマ）間距離のばらつきが顕著なものとなる。
【０００４】
【発明が解決しようとする課題】
従来の写真処理装置においては、ＡＰＳカメラ、特にレンズ付きＡＰＳフィルムなどで撮影され、画像が記録されたＡＰＳフィルムの当該画像の画像出力用画面に対する画面位置の確定を行う手法において、次のような問題がある。
【０００５】
すなわち、従来のＡＰＳフィルムの画面位置確定を行う手法では、既述したように、パーフォレーションを基準に画面位置を確定しているため、例えば、隣り合う画像（コマ）間距離のばらついたフィルムについては、パーフォレーションに対する位置ずれが規格範囲から外れると、画像が画像出力用画面に対して所定の画面位置に精度よく位置合わせされずに画面位置が確定されるので、モニター等の表示画面に表示される画像が表示されるべき位置にうまく表示されず、画像（コマ）間における非記録部（いわゆる素抜け部）が入ってしまう。この状態で写真感光材料に画像をプリントすると、感光材料の画像がプリントされるべき位置にうまくプリントされず、例えば、素抜け部の黒い部分がプリントされてしまい、ひいてはロスプリントを生じる。
【０００６】
このため、従来の写真処理装置では、画像出力用画面について、フィルム搬送方向の表示幅に余裕を持たせておくことで、ＡＰＳフィルムにおいてパーフォレーションに対する画像の位置ずれが規格範囲から若干外れていても、表示確認画面（ジャッジ画面）において画像が表示されるべき位置に表示されるように（例えば、ジャッジ画面で素抜け部が入らないように）調整できるような構成にしている。
【０００７】
ところが、このような従来の写真処理装置においては、オペレータは、ジャッジ画面において画像が表示されるべき位置に表示されるように（例えば、素抜け部が入らないように）画面の位置を調整する必要があり、オペレータによる写真処理作業の作業性が悪い。また、画像出力用画面について、フィルム搬送方向の表示幅に余裕を持たせているもののＡＰＳフィルムにおけるパーフォレーションに対する画像のずれ量によっては、調整しきれないことがある。さらに、ジャッジ画面に表示せずに自動的にプリントする設定にしていると、既述したように、例えば、感光材料に素抜け部の黒い部分が自動的にプリントされてしまうことになり、それだけロスプリントが生じ、装置の品質、信頼性の低下を招くことになる。
【０００８】
本発明は、前記問題に鑑みてなされたもので、画像が記録されたＡＰＳフィルムの隣り合う画像（コマ）間距離のばらつきに拘わらず、画像が画像出力用画面に対して所定の画面位置に精度よく位置合わせされた状態で画面位置を確定でき、従って、画面の位置を調整する必要がなく、これによりオペレータによる写真処理作業の作業性を向上させることができ、さらに、表示確認画面（ジャッジ画面）に表示せずに自動的にプリントするようにしても、ロスプリントを抑制でき、それだけ装置の品質、信頼性を向上させることができる写真処理装置を提供することを課題とする。
【０００９】
【課題を解決するための手段】
前記課題を解決するため本発明は、画像が記録されたＡＰＳフィルムを所定のフィルム搬送方向に搬送するフィルム搬送部と、前記フィルム搬送部にて搬送された前記ＡＰＳフィルムに光を照射する光源部と、前記光源部から前記ＡＰＳフィルムを通過してくる画像光を受光して画像情報を読み取る撮像部と、前記撮像部にて読み取られた画像情報に基づいて、前記ＡＰＳフィルムの前記フィルム搬送方向における画像の両エッジ部のうち少なくとも一方のエッジ部を検出するエッジ部検出手段と、前記エッジ部検出手段にて検出された画像エッジ部の検出位置に基づいて、当該画像の画像出力用画面に対する画面位置を確定する画面位置確定手段とを備えることを特徴とする写真処理装置を提供する。
【００１０】
本発明に係る写真処理装置では、画像が記録されたＡＰＳフィルムの該画像を読み取るにあたって、前記フィルム搬送部において前記ＡＰＳフィルムが所定のフィルム搬送方向に搬送され、前記光源部において前記フィルム搬送部にて搬送された前記ＡＰＳフィルムに光が照射され、前記撮像部において前記光源部から前記ＡＰＳフィルムを通過してくる画像光が受光されて画像情報が読み取られ、さらに、前記エッジ部検出手段において前記撮像部にて読み取られた画像情報に基づいて、前記ＡＰＳフィルムの前記フィルム搬送方向における画像の両エッジ部のうち少なくとも一方のエッジ部が検出される。そして、前記画面位置確定手段において前記エッジ部検出手段にて検出された画像エッジ部の検出位置に基づいて、当該画像が画像出力用画面に対して所定の画面位置に位置合わせされ、当該位置合わせされた画面位置が確定される。
【００１１】
このように本発明に係る写真処理装置によると、前記フィルム搬送部において前記ＡＰＳフィルムを前記フィルム搬送方向に搬送し、前記光源部において前記フィルム搬送部にて搬送された前記ＡＰＳフィルムに光を照射し、前記撮像部において前記光源部から前記ＡＰＳフィルムを通過してくる画像光を受光して画像情報を読み取り、前記エッジ部検出手段において前記撮像部にて読み取られた画像情報に基づいて、前記ＡＰＳフィルムの前記フィルム搬送方向における画像の両エッジ部のうち少なくとも一方のエッジ部を検出し、さらに、前記画面位置確定手段において前記エッジ部検出手段にて検出された画像エッジ部の検出位置に基づいて、当該画像の画像出力用画面に対する画面位置を確定するので、前記ＡＰＳフィルムの隣り合う画像（コマ）間距離のばらつきに拘わらず、画像が画像出力用画面に対して所定の画面位置に精度よく位置合わせされた状態で画面位置を確定でき、従って、画面の位置を調整する必要がなく、これによりオペレータによる写真処理作業の作業性を向上させることができ、さらに、表示確認画面（ジャッジ画面）に表示せずに自動的にプリントするようにしても、ロスプリントを抑制でき、それだけ装置の品質、信頼性を向上させることができる。
【００１２】
本発明に係る写真処理装置では、例えば、前記エッジ部検出手段において、前記撮像部にて読み取られた画像情報に基づいて、前記ＡＰＳフィルムの前記フィルム搬送方向における画像の両エッジ部のうちいずれか一方のエッジ部を検出し、前記画面位置確定手段において、前記エッジ部検出手段にて検出された画像エッジ部の検出位置を基準に、当該画像の画像出力用画面に対する画面位置を確定してもよい。但し、一般的には、フィルムにおける画像サイズが正規の画像サイズに対してばらつくことがある為、前記のように画像エッジ部を基準に画面位置を確定すると、画像サイズが正規の画像サイズより少し大きめの場合には、エッジ部の検出基準位置とは反対側端部の画像について捨てられる部分が多くなることがある。かかる観点から、前記エッジ部検出手段においては、前記撮像部にて読み取られた画像情報に基づいて、前記ＡＰＳフィルムの前記フィルム搬送方向における画像の両エッジ部を検出し、前記画面位置確定手段においては、前記エッジ部検出手段にて検出された画像両エッジ部の検出位置から当該画像のセンター位置を求め、該センター位置を基準に、当該画像の画像出力用画面に対して所定の画面位置（例えば、センターの画面位置）に位置合わせし、当該位置合わせされた画面位置を確定することが好ましい。このように画像センター位置を基準に、当該画像を画像出力用画面に対して所定の画面位置（例えば、センターの画面位置）に位置合わせし、当該位置合わせされた画面位置を確定することで、フィルムにおける画像サイズが正規の画像サイズより少し大きめの場合において、画面の中央を画像の中央に来るようにして両側の画像プリント結果を偏らないようにすることができる。
【００１３】
本発明に係る写真処理装置において、前記エッジ部検出手段としては、前記撮像部にて読み取られた画像情報の画像濃度変化を検出する画像濃度検出手段と、前記ＡＰＳフィルムの前記フィルム搬送方向における前記画像濃度検出手段にて検出された画像濃度の変化量が所定の変化量より大きい部分を画像のエッジ部と認識するエッジ部認識手段とを含む手段を例示できる。この場合、前記画面位置確定手段では、前記エッジ部認識手段にて認識された画像エッジ部の認識位置に基づいて、当該画像を画像出力用画面に対して所定の画面位置に位置合わせし、当該位置合わせされた画面位置を確定する。
【００１４】
本発明に係る写真処理装置において、前記フィルム搬送部にて搬送されるＡＰＳフィルムの前記フィルム搬送方向とは直交する方向の一端部において前記フィルム搬送方向に沿って所定のピッチで形成されたパーフォレーションを検出するパーフォレーション検出部をさらに備えていてもよい。この場合、前記画面位置確定手段は、前記パーフォレーション検出部にて検出された前記パーフォレーションの検出位置を基準に、当該画像を画像出力用画面に対して所定の画面位置に位置合わせし、当該位置合わせされた画面位置を確定することができる。
【００１５】
こうすることで、前記エッジ部検出手段が画像エッジ部を検出できないような画像を有する前記ＡＰＳフィルム（例えば、極端に濃度の淡い画像（コマ）を有する前記ＡＰＳフィルム）について、画面位置の確定を行う場合には、前記パーフォレーション検出部にて前記ＡＰＳフィルムの前記パーフォレーションを検出することで、画面位置の確定を支障なく行うことができる。
【００１６】
【発明の実施の形態】
以下、本発明に係る実施の形態について図面を参照しながら説明する。図１は本発明に係る写真処理装置の一実施形態の全体概略図である。
【００１７】
図１に示す写真処理装置Ａは画像処理装置１と画像露光現像装置２とで構成されている。画像処理装置１は画像読取装置６００と主制御装置９０とを備えている。
【００１８】
画像読取装置６００は、本例では、画像が記録されたＡＰＳフィルムＦを走査し読み取るとともに読み取られた画像情報をデジタル変換してデジタル画像を取得するものである。主制御装置９０は、画像処理装置１の制御を含む写真処理装置Ａ全体を制御するものであり、制御部９１（後述する図３及び図４参照）を備えている。
【００１９】
画像処理装置１は、前記の画像読取装置６００にて読み取られた画像情報を表示する画像表示手段２０（ここではＣＲＴモニター）をさらに備えている。また、画像露光現像装置２は、感光材料に露光処理を施す露光装置６３（図１では図示せず、後述する図３及び図４参照）と、露光装置６３で露光処理された感光材料に現像処理を施す現像処理装置６１（同じく図４参照）と、現像処理装置６１で現像処理が施された感光材料を乾燥する乾燥処理部４と、乾燥処理部４で乾燥された感光材料をオーダー、及びサイズ毎に仕分けて回収する回収部５とで構成されている。
【００２０】
図２に図１に示す画像読取装置６００の要部概略斜視図を示し、図３に図１に示す写真処理装置Ａの概略ブロック図を示す。
【００２１】
画像読取装置６００は、既述したように、フィルムＦを走査し読み取りして画像情報を取得するものであり、図２に示すように、光源部６１０、撮像部６２０及び結像部６３０並びにＡＰＳフィルムＦを所定のフィルム搬送方向（図２中Ｙ方向）に搬送するフィルム搬送部６４０を備えている。
【００２２】
この画像読取装置６００では、フィルム搬送部６４０にてＡＰＳフィルムＦをフィルム搬送方向Ｙに搬送するとともに、搬送部６４０にて搬送されたフィルムＦに光源部６１０から光を照射し、光源部６１０からフィルムＦを介して到来する透過光を結像部６３０で撮像部６２０に結像させて画像を読み取る。フィルムＦの走査は、フィルムＦが搬送方向Ｙ（副走査方向）及び該方向Ｙとは直交する主走査方向（図２中Ｘ方向）に走査されることでなされる。この走査により到来する画像光が結像部６３０により撮像部６２０に結像し、画像が読み取られる。
【００２３】
光源部６１０は、所定の光を発光する発光ダイオード（以下、ＬＥＤという）素子６１１を備えている。ＬＥＤ素子６１１は、本例では、複数のＬＥＤを主走査方向にライン状に並べたＬＥＤライン光源であり、ＬＥＤ駆動部６１２を介して制御部９１に接続されている（図２では図示を省略、図３参照）。このＬＥＤ素子６１１は、制御部９１の指示の下、主走査方向Ｘに配置された各ＬＥＤが点灯される。
【００２４】
撮像部６２０は、撮像素子６２１を備えている。この撮像素子６２１は、本例ではＣＣＤ（Ｃｈａｒｇｅ  Ｃｏｕｐｌｅｄ  Ｄｅｖｉｃｅ：電荷結合素子）であり、ＬＥＤ素子６１１からの画像光Ｌを受光して画像情報を読み取ることができる。ＣＣＤ６２１は、ＣＣＤ駆動部６２２、ゲイン調整部６２３及びＡ／Ｄ変換装置６２４を介して制御部９１に接続されている（図２では図示を省略、図３参照）。
【００２５】
結像部６３０は、フィルムＦと撮像部６２０との間の光路上に配置され、フィルムＦからの透過光をＣＣＤ６２１に結像させる結像レンズ６３１を含んでいる。
【００２６】
フィルム搬送部６４０は、複数の搬送ローラ対６４１及び図示を省略したフィルムカートリッジ支持部材を備えており、このフィルムカートリッジ支持部材に着脱可能に固定支持されたフィルムカートリッジＦ’からＡＰＳフィルムＦを引き出すとともに、各ローラ対６４１におけるローラ間にフィルムＦを挟持させつつ各ローラ対６４１を図中矢印方向に回転させることで、フィルムＦをＹ方向に搬送することができる。
【００２７】
ＡＰＳフィルムは、図２に示すように、フィルム搬送方向Ｙとは直交する方向Ｘの一端部において搬送方向Ｙに沿って所定のピッチで形成されたパーフォレーションＰＦを有している。このＡＰＳフィルムは、例えば、レンズ付きＡＰＳフィルムなどで撮影され、画像が記録されたＡＰＳフィルムであって、記録される画像ＭのパーフォレーションＰＦに対する位置ずれが規格範囲から外れ、隣り合う画像（コマ）Ｍ間距離がばらついているものである。
【００２８】
画像読取装置６００はさらに、ＡＰＳフィルムＦのパーフォレーションＰＦを検出するパーフォレーション検出部６５０を備えている。パーフォレーション検出部６５０は、制御部９１に接続されている（図２では図示を省略、図３参照）。この検出部６５０は、ここでは、光を出射する発光素子６５１と、発光素子６５１からの光を受光する受光素子６５２とからなるフォトセンサであり、発光素子６５１と受光素子６５２との間にＡＰＳフィルムが配置されるとともにパーフォレーションＰＦを検出できるように設けられている。これにより、パーフォレーションＰＦの検出信号を制御部９１に送信することができる。
【００２９】
図３に示すように、制御部９１は、前記の画像読取装置６００、モニター２０及び露光装置６３に接続されており、処理プログラム等が記憶される記憶手段９３を備えている。
【００３０】
画像読取装置６００では、既述のとおり、ＬＥＤ素子６１１がＬＥＤ駆動部６１２を介して制御部９１に接続されているとともに、ＣＣＤ６２１がＣＣＤ駆動部６２２、ゲイン調整部６２３及びＡ／Ｄ変換装置６２４を介して制御部９１に接続されている。
【００３１】
ＬＥＤ駆動部６１２及びＣＣＤ駆動部６２２は、それぞれ制御部９１の指示の下、ＬＥＤ素子６１１及びＣＣＤ６２１を駆動することができる。ゲイン調整部６２３は、制御部９１の指示の下、ＣＣＤ６２１出力のゲインを制御することができ、ＣＣＤ６２１からの出力信号をＡ／Ｄ変換装置６２４に送ることができる。Ａ／Ｄ変換装置６２４は、ゲイン調整部６２３から送られてきたアナログ信号をデジタル信号に変換することができる。
【００３２】
記憶手段９３は、ＲＡＭ等で構成されており、プログラムメモリ領域（図示省略）を有し、このプログラムメモリ領域において、前記の処理プログラムを読込むことができる。
【００３３】
制御部９１は、記憶手段９３の前記プログラムメモリ領域に記憶された前記処理プログラムが実行される。この処理プログラムは、制御部９１を、エッジ部検出手段９５と、画面位置確定手段９６とを含む処理手段９４として機能させるものである。
【００３４】
エッジ部検出手段９５では、撮像部６２０にて読み取られた画像情報に基づいて、ＡＰＳフィルムＦのフィルム搬送方向Ｙにおける画像のエッジ部のうち少なくとも一方（ここでは、搬送方向Ｙ下流側及び上流側の両エッジ部）を検出する。具体的には、エッジ部検出手段９５は、画像濃度検出手段９５ａと、エッジ部認識手段９５ｂとを含む手段であり、画像濃度検出手段９５ａでは、撮像部６２０にて読み取られた画像情報の画像濃度変化を検出し、エッジ部認識手段９５ｂでは、フィルムＦの搬送方向Ｙにおける前記画像濃度検出手段９５ａにて検出された画像濃度の変化量が所定の変化量より大きい部分を画像のエッジ部と認識する。
【００３５】
画面位置確定手段９６では、エッジ部認識手段９５ｂにて認識された画像エッジ部の認識位置に基づいて、当該画像を画像出力用画面に対して所定の画面位置に位置合わせし、当該位置合わせされた画面位置を確定する。なお、前記の処理手段９４による動作についてはのちほど説明する。
【００３６】
露光装置６３は、処理手段９４から送られてくる画像情報に基づいて写真感光材料に露光することができる。
【００３７】
次に、図１に示す写真処理装置Ａの処理工程について図４を参照しながら説明する。図４に図１に示す写真処理装置Ａの処理工程を説明するための図を示す。
【００３８】
簡単に工程の流れを追いつつ主要構成を以下に説明する。画像露光現像装置２は、前記した露光装置６３、現像処理装置６１、乾燥処理部４及び回収部５の他、搬送装置４３等を具備している。
【００３９】
画像処理装置１において、画像読取装置６００がＡＰＳフィルムＦの画像情報を走査読み取りする。制御部９１では、処理手段９４にて画像処理されたデジタル画像が露光データとして決定される。
【００４０】
画像露光現像装置２において、感光材料４０がマガジン４２から引き出され、搬送装置４３のうちのローラ等によって搬送される。感光材料は、例えば、定寸に切断され、露光装置部４１において、露光装置６３によって、感光材料４０が露光される。
【００４１】
現像処理装置６１では、感光材料４０に対して、現像、定着、水洗等の種々の化学的処理（薬液Ｓ等）が行われ、さらに乾燥処理部４では、乾燥処理が行われ、かかる一連の工程が自動的になされる。そして搬送装置４３は、これらの工程において感光材料４０を搬送する。回収部５では、図１に示すように、大判の感光材料４０はトレー５２に回収され、小判の感光材料４０は仕分部５４にてオーダー毎に仕分けられ、回収される。仕分部５４は、小判感光材料の排出方向に対して直交方向に移動するコンベア５５と、該コンベア５５によって運ばれてくる小判感光材料をオーダー毎に仕分ける仕分装置５６とで構成されている。仕分装置５６は、上下方向に移動可能に配設された複数の受け皿５７を備えており、該受け皿５７が上下方向に移動することで、コンベア５５によって搬送されてくる小判感光材料を各受け皿５７へオーダー毎に振り分けるように構成されている。
【００４２】
以上のような写真処理装置Ａ全体としての処理は主制御装置９０によって制御される。そして、この写真処理装置Ａでは、図２に示すように、画像Ｍが記録されたＡＰＳフィルムＦの該画像Ｍを読み取るにあたって、フィルムＦがそのフィルムカートリッジＦ’から引き出され、フィルム搬送部６４０においてフィルム搬送方向Ｙに搬送され、光源部６１０のＬＥＤ素子６１１によって搬送部６４０にて搬送されたフィルムＦに光が照射され、撮像部６２０のＣＣＤ６２１によってＬＥＤ素子６１１からフィルムＦを通過してくる画像光Ｌが受光されて画像情報が読み取られ、さらに、図３に示すエッジ部検出手段９５においてＣＣＤ６２１にて読み取られた画像情報に基づいて、フィルムＦの搬送方向Ｙにおける画像の両エッジ部のうち少なくとも一方のエッジ部が検出される。具体的には、画像濃度検出手段９５ａにおいてＣＣＤ６２１にて読み取られた画像情報の画像濃度変化が検出され、エッジ部認識手段９５ｂにおいてフィルムＦの搬送方向Ｙにおける画像濃度検出手段９５ａにて検出された画像濃度の変化量が所定の変化量より大きい部分について画像のエッジ部と認識される。
【００４３】
これについて図５を参照しながらさらに説明する。図５はＡＰＳフィルムＦにおける画像Ｍ（，Ｍ’）に対して、画像濃度検出手段９５ａにて検出された画像濃度波形の一例を示す図である。図５に示すように、エッジ部認識手段９５ｂでは、ＡＰＳフィルムＦのフィルム搬送方向Ｙにおける画像濃度検出手段９５ａにて検出される画像濃度（ここでは搬送方向Ｙ下流側及び上流側の画像濃度）の変化量（図中α参照）が所定の変化量（図中β参照）より大きい部分（図中γ，γ’参照）について画像Ｍの搬送方向Ｙ下流側及び上流側のエッジ部Ｍ１及びＭ２と認識する。
【００４４】
そして、画面位置確定手段９６においてエッジ部検出手段９５にて検出された画像のエッジ部Ｍ１とエッジ部Ｍ２の検出位置から当該画像Ｍのセンター位置Ｒを求め、該センター位置Ｒを基準に、当該画像Ｍが画像出力用画面に対して所定の画面位置（ここではセンターの画面位置）に位置合わせされ、当該位置合わせされた画面位置が確定される。
【００４５】
また、エッジ部検出手段９５が画像エッジ部を検出できないような画像（図中Ｍ’参照）を有するＡＰＳフィルムＦ（例えば、極端に濃度の淡い、換言すれば、画像濃度の変化量（図中α’参照）が所定の変化量βより小さい画像（コマ）Ｍ’を有するＡＰＳフィルム）については、パーフォレーション検出部６５０（図２も参照）にてフィルムＦのパーフォレーションＰＦが検出され、画面位置確定手段９６において検出部６５０にて検出されたパーフォレーションＰＦの検出位置を基準に、当該画像が画像出力用画面に対して所定の画面位置に位置合わせされ、当該位置合わせされた画面位置が確定される。
【００４６】
このように図１に示す写真処理装置Ａによると、フィルム搬送部６４０においてＡＰＳフィルムＦをフィルム搬送方向Ｙに搬送し、光源部６１０において搬送部６４０にて搬送されたフィルムＦに光を照射し、撮像部６２０において光源部６１０からフィルムＦを通過してくる画像光Ｌを受光して画像情報を読み取り、エッジ部検出手段９５において撮像部６２０にて読み取られた画像情報に基づいて、フィルムＦの搬送方向Ｙにおける画像Ｍの両エッジ部のうち少なくとも一方Ｍ１，Ｍ２を検出し、さらに、画面位置確定手段９６においてエッジ部検出手段９５にて検出された画像エッジ部Ｍ１の検出位置に基づいて、当該画像Ｍの画像出力用画面に対する画面位置を確定するので、ＡＰＳフィルムＦの隣り合う画像（コマ）Ｍ間距離のばらつきに拘わらず、画像Ｍが画像出力用画面に対して所定の画面位置に精度よく位置合わせされた状態で画面位置を確定でき、従って、画面の位置を調整する必要がなく、これによりオペレータによる写真処理作業の作業性を向上させることができ、さらに、表示確認画面（ジャッジ画面）に表示せずに自動的にプリントするようにしても、ロスプリントを抑制でき、それだけ装置の品質、信頼性を向上させることができる。また、本例では画像Ｍセンター位置Ｒを基準に、当該画像Ｍを画像出力用画面に対してセンターの画面位置に位置合わせし、当該位置合わせされた画面位置を確定するので、フィルムＦにおける画像Ｍのサイズが正規の画像サイズより少し大きめの場合において、画面の中央を画像Ｍの中央Ｒに来るようにして両側の画像プリント結果を偏らないようにすることができる。
【００４７】
さらに、本例の写真処理装置Ａでは、ＡＰＳフィルムＦのパーフォレーションＰＦを検出するパーフォレーション検出部６５０を備えており、エッジ部検出手段９５が画像エッジ部を検出できないような画像Ｍ’を有するＡＰＳフィルムＦ（例えば、極端に濃度の淡い画像（コマ）Ｍ’を有するＡＰＳフィルム）について、画面位置の確定を行う場合には、検出部６５０にてフィルムＦのパーフォレーションＰＦを検出するので、画面位置の確定を支障なく行うことができる。
【００４８】
【発明の効果】
以上説明したように本発明によると、画像が記録されたＡＰＳフィルムの隣り合う画像（コマ）間距離のばらつきに拘わらず、画像が画像出力用画面に対して所定の画面位置に精度よく位置合わせされた状態で画面位置を確定でき、従って、画面の位置を調整する必要がなく、これによりオペレータによる写真処理作業の作業性を向上させることができ、さらに、表示確認画面（ジャッジ画面）に表示せずに自動的にプリントするようにしても、ロスプリントを抑制でき、それだけ装置の品質、信頼性を向上させることができる写真処理装置を提供することができる。
【図面の簡単な説明】
【図１】本発明に係る写真処理装置の一実施形態の全体概略図である。
【図２】図１に示す画像読取装置の要部概略斜視図である。
【図３】図１に示す写真処理装置の概略ブロック図である。
【図４】図１に示す写真処理装置の処理工程の説明図である。
【図５】ＡＰＳフィルムにおける画像に対して、画像濃度検出手段にて検出された画像濃度波形の一例を示す図である。
【符号の説明】
９５…エッジ部検出手段  ９５ａ…画像濃度検出手段
９５ｂ…エッジ部認識手段  ９６…画面位置確定手段  ６１０…光源部
６２０…撮像部  ６４０…フィルム搬送部  ６５０…パーフォレーション検出部
Ｆ…ＡＰＳフィルム  Ｍ…画像  Ｍ１，Ｍ２…画像エッジ部
Ｙ…フィルム搬送方向
【図１】
2005039449.tif 000003
【図２】
2005039449.tif 000004
【図３】
2005039449.tif 000005
【図４】
2005039449.tif 000006
【図５】
2005039449.tif 000007